(57)【特許請求の範囲】
【請求項１】
作用装薬を収容し且つ後方にトレーサー組成物を有する発射体と、この発射体を受けるカートリッジケースとで構成され、カートリッジケースは点火薬を収容し、カートリッジケースの中央にはカートリッジが配置され、カートリッジは高圧空間を区画し且つ推進薬を収容し、カートリッジを取り囲む低圧空間はカートリッジケースの内壁と発射体の底部の一部とによって区画され且つオーバーフロー口を介して高圧空間と連通し、発射体はカートリッジに結合され、カートリッジは定格破断点を有する、カートリッジ型弾薬、特に擲弾弾薬において、
トレーサー組成物(11b)がチューブ(27)内に収容され、このチューブ(27)は発射体(11)の後部中央から突出し、カートリッジ(12)の上部壁面を貫通し、カートリッジの上部壁面に形成された開口(28)内に気密且つ摺動自在な状態で支持され且つ高圧空間(21)の内部へ突き出ており、定格破断点(12d)が破断した後にチューブが高圧空間(21)から引出されて高圧空間の容積が拡大できるようになっていることを特徴とする弾薬。
【請求項２】
オーバーフロー口(22)に高圧空間(21)に対する栓（タンピング）(23)が設けられており、このタンピング(23)は高圧空間(21)内が一定の圧力になった時に抜ける請求項１に記載の弾薬。
【請求項３】
高圧空間内(21)に突き出たトレーサー組成物(11b)の末端が開口(30)を有するキャップ(29)で閉じられており、このキャップ(29)は発射体(11)がカートリッジケース(10)から放出された後も高圧空間(21)に残ってトレーサー組成物(11b)のチューブ(27)を支持するの開口(28)を覆う請求項１または２に記載の弾薬。
【請求項４】
カートリッジ(12)の壁面の高圧空間(21)の部分が鋼で作られている請求項１〜３のいずれか一項に記載の弾薬。
【請求項５】
カートリッジ(12)の壁面の高圧空間(21)の部分がアルミニウムで作られており、その少なくともオーバーフロー口(22)の壁面(32)が陽極処理されている請求項１〜３のいずれか一項に記載の弾薬。
【発明の詳細な説明】
本発明は、カートリッジ型弾薬(cartridged ammunition)、特に擲弾発射装置(grenada pistol)などで使用される例えば口径が40mmの訓練用弾薬に関するものである。
本発明は本出願人の欧州特許第0215042号に記載の弾薬を出発点としている。この特許に記載の発射体(projectile)はカートリッジケース内に収容され、作用装薬としての発煙用装薬を有し、後方にトレーサー組成物を備えている。カートリッジケースは点火薬とカートリッジケースから発射体を発射させるために点火薬によって点火される推進薬とを備えている。推進薬はカートリッジケースの中央に配置されたカートリッジ内に収容される。カートリッジは高圧空間を形成し、低圧空間によって取り囲まれている。低圧空間はカートリッジケースの内壁と発射体の底部の一部とによって区画され、オーバーフロー口（通常は塞がれている）を介して高圧空間と連通するようになっている。カートリッジの上部密閉壁には発射体の後方に設けられたトレーサー組成物に向かって開口した小さい点火通路を有している。発射体はカートリッジに結合され、カートリッジは結合点よりも下側にある定格破断点を有している。
点火薬を介して推進薬が点火されると、高圧空間内の圧力が上昇するが、定格破断点を破断させて発射体を発射させるには至らない。トレーサー組成物が小さい点火孔を介して点火される。高圧空間と低圧空間との間の塞がれていた孔（タンピング）がこじ開けられると、オーバーフロー口を介して推進ガスが低圧空間中に流入し、発射体底部の残りの部分に力を加える。高圧空間および低圧空間内の圧力が十分に高くなると、定格破断点がこじ開けられ、カートリッジケースから発射体が発射される。発射体の弾道は燃焼トレーサー組成物によって示される。
発射体を発射するための圧力空間を高圧空間と低圧空間とに分割することによって、２つの圧力空間内で発生する力が互いに協働して発射体とカートリッジケースとの間の定格破断点を破断するので、発射体の初期速度とその射程は非常に高い精度で再現性良く実現できる。この構成は訓練用擬製弾および実弾の両方において十分に実用上の価値が証明されている。
この公知のカートリッジ型弾丸ではトレーサー組成物が発射体の本体内に延長されているため、その空間を作用装薬（訓練用装薬または実弾用装薬）のために使用することができない。
本発明は、トレーサー組成物を通常は高圧空間内に突出したチューブ内に収容し、発射体が発射されて定格破断点が破断した後にトレーサー組成物が高圧空間から引き出され、それによって高圧空間の容積が広がるようにした構造を提案する。
この構造には主として２つの利点がある。すなわち、この構造にすることによって、トレーサー組成物を発射体の後方からしっぽのように突き出すことができ、発射体の容積をほぼ完全に作用装薬用に使用することが可能になる。さらに、発射体の発射時にトレーサー組成物を高圧空間から引き出すことによって高圧空間の容積が広くなる。それによって急激な圧力上昇が防止されるという利点がある。上記欧州特許第0215024号の実施例では高圧空間が発射体の発射時に引き出される同心円状に配置された２つのシェルによって形成されているが、この特許の利点は本発明の構造で実現される。高圧空間の容量が拡大したことによって発射体の初速が一定になり、温度の影響をほどんど受けなくなり、広い温度範囲で発射効果の再現性が実現できる。
本発明構成では、高圧空間および低圧空間内の圧力の進行を制御することができ、従って、急激なガス上昇ピークが発生することはなく、高圧空間内の圧力はトレーサー組成物が引き出された後も引き続き上昇する。さらに、トレーサー組成物の自由端は例えば１つ以上の開口を有するキャップで覆われているので、トレーサー組成物が高圧空間から引き出された後も高圧空間はキャップで閉じられ、圧力は制御される。上記開口が所定の寸法を有するならば、推進薬の圧縮比すなわち出口またはジェット開口の最も小さい断面に対する推進薬の燃焼表面の比を発射体を発射するための合計圧がほぼ一定となるように調節することができる。
高圧空間の壁面は一般に鋼で作られているので、推進薬の燃焼ガスが高温であっても高圧空間からのオーバーフロー口が侵食されず、その開口の直径は燃焼中ほぼ一定に維持され、従って、非常に再現性の高い発射効果が得られるという利点がある。鋼を使用することによって訓練用カートリッジの重量が重くなるが、重量を軽くするために高圧空間の壁面をアルミニウム製にした場合には、オーバーフロー口が非常に大きく侵食され、しかも、燃えたアルミニウム粒子が発射管から放出され、銃口からかなり大きな閃光が発生する。これは好ましくないことである。高圧空間をアルミニウム製とし、少なくともオーバーフロー口の壁面をアルマイトにする（陽極処理する）ことによってオーバーフロー口の侵食と銃口からの閃光を大幅に軽減できるということは分かっている。
本発明の他の具体例は特許請求の範囲に記載されている。
以下、図面を参照して本発明の具体例を説明する。
図１は発射体とカートリッジケースとを備えた本発明によるカートリッジ型訓練用弾薬の部分断面図。
図２は発射体がカートリッジケースから切り離された後の弾薬を示す図。
図３は本発明カートリッジ型弾薬のトレーサー組成物の拡大断面図。
図４はアルミニウム壁の訓練用弾薬のカートリッジの断面図。
図１は口径が40mmのカートリッジ型弾薬１の部分断面図で、この弾薬１は例えばプラスチック製のカートリッジケース10を有し、このカートリッジケース10の開口部には発射体11が配置されている。この発射体11は例えば作用装薬として発煙用装薬を収容している。発射体11の後方にはトレーサー組成物11bが設置されている。カートリッジケース10の底部に螺合されたカートリッジ12内には点火薬13と推進薬14が収容されている。カートリッジ12は高圧空間21を区画し、推進薬14はこの高圧空間内で点火薬13によって点火され、燃焼する。カートリッジ12または少なくとも高圧空間を区画する壁面は鋼製である。オーバーフロー口22は当初は詰め物（タンピング）23によって覆われているが、点火後、詰め物（タンピング）23が抜け、高圧空間21はオーバーフロー口22を介して低圧空間10aと連通する。カートリッジケースの内部を構成するこの低圧空間10aはカートリッジケースの壁と発射体11の底部とで区画される。
カートリッジ12の上側表面には上方へ向かって突出したネジ山24があり、このネジ山に発射体11の後部内側に形成された対応するネジ山25が螺合する。カートリッジ12の上部壁面とネジ山24との間には定格破断点12dが設けられている。発射体11の後方内側に形成されたネジ山25の内部にはトレーサー組成物11bが配置されている。このトレーサー組成物11bは発射体の後方から突出たチューブ27内に収容されている。チューブ27はカートリッジの上側壁面に形成された開口28を介して延び、高圧空間21へ向かって開いている。チューブ27はほぼ気密な状態で開口28内に摺動可能な状態で取り付けられている。
以下、上記弾薬の機能を説明する。
点火薬13が点火されると、推進薬14が着火し、推進ガスによって高圧空間21内に高圧が発生し、最後にはオーバーフロー口の詰め物（タンピング）23が破断し、オーバーフロー口を介して低圧空間10aも充填される。推進ガスの圧力によってトレーサー組成物11bが着火する。発射体底部に作用する力が一定値を超えると、定格破断点12dが破断し、発射体11はカートリッジケースから放出される。それによってトレーサー組成物11bのチューブ27も高圧空間21から引き出される。それによって高圧空間の容積は広くなる。
発射体をカートリッジケースから発射するための圧力の進行を制御するために、トレーサー組成物11b用のチューブ27の自由端を複数の開口30を備えたキャップ29で覆うことができる。このキャップはチューブ27の外径よりも外に飛び出した小さいフランジ31を有し、発射体11が発射されてもキャップ29が高圧空間21の開口28の縁に残り、発射体と一緒に飛んでいかないようになっている。すなわち、トレーサー組成物が引き出された後でも開口28は図１の実施例の様に完全に開放されず、開口30の寸法によって予め決定された範囲までしか開放されない。開口30を所定の寸法にすることによて圧力の進行を非常に細かく制御することができる。
この実施例ではトレーサー組成物11bのチューブ27がチューブ27の直径にほぼ相当する長さだけ高圧空間21内に突き出している。この寸法は任意であることに注意されたい。すなわち、唯一重要なことは発射体の発射中、最終的に弾薬がカートリッジケースから解放されるまで容積は拡大し続けるということである。
適当な形状（特に直径、断面および後方トレーサー組成物の長さ）にすることによって発射体の空気力学的な特性に影響を与えることもできる。
図４は訓練用弾薬の底部領域の断面を示し、各部品には上記と同じの参照番号が付けてある。この図ではカートリッジ12またはその壁面の高圧空間21の領域が鋼ではなくアルミニウムで作り、少なくとも32で示されるオーバーフロー口22の壁面を陽極処理している。
【図１】
0003904234.tif 000002
【図２】
0003904234.tif 000003
【図３】
0003904234.tif 000004
【図４】
0003904234.tif 000005